(57)【要約】【課題】製版サイズの異なる孔版原紙や印面サイズの異なるドラムユニットが装着可能であり、かつ変倍率を自動計算できる孔版印刷装置において、ユーザーがドラムユニットや孔版原紙を異種に交換した場合にも、適切な変倍率が設定できるようにする。【解決手段】  孔版印刷装置は、原稿サイズ検出手段２９と、実装されたドラムユニットの印面サイズを設定する印面サイズ設定手段２６と、孔版原紙の製版幅検出手段３０と、印刷用紙幅及び長さ検出手段３２、３３を有しており、原稿画像の最適な変倍率を、前記原稿サイズと、印面サイズと、製版幅と、印刷用紙サイズとに基づいて算出し設定することができる。【選択図】図２
2008126445.tif 000002
【特許請求の範囲】
【請求項１】
装置本体に対して着脱可能に実装されて製版された孔版原紙が装着されるドラムユニットと、操作入力及び表示を行うパネルユニットと、配置された原稿の原稿画像を読取る原稿読取部と、読取られた原稿画像を孔版原紙に製版する製版部と、製版に供される孔版原紙を保持する孔版原紙ホルダと、配置された印刷用紙を供給する給紙部と、前記ドラムユニットに装着された製版済の孔版原紙からインクを印刷用紙に転写させる印刷部と、印刷済の印刷用紙を排出する排紙部とを備えた孔版印刷装置において、
前記原稿読取部に配置される原稿の原稿サイズを検出する原稿サイズ検出手段と、
前記装置本体に実装されたドラムユニットの印面サイズを設定する印面サイズ設定手段及び前記孔版原紙ホルダに保持された孔版原紙の製版幅を検出する製版幅検出手段からなる群から選択された少なくとも一つの手段と、
前記原稿読取部で読取った原稿画像の最適な変倍率を、少なくとも、前記原稿サイズと、前記印面サイズ及び前記製版幅から構成される群から選択された１以上の項目とに基づいて算出し設定する変倍率決定手段とを有することを特徴とする孔版印刷装置。
【請求項２】
前記印面サイズ設定手段と、前記原稿読取部で読取った原稿画像の最適な変倍率を前記原稿サイズと前記印面サイズに基づいて算出し設定する変倍率決定手段を有することを特徴とする請求項１記載の孔版印刷装置。
【請求項３】
さらに前記給紙部に配置された印刷用紙のサイズを検出する印刷用紙サイズ検出手段を備え、
前記変倍率決定手段は前記原稿サイズと前記印面サイズと前記印刷用紙サイズに基づいて最適な変倍率を算出し設定することを特徴とする請求項２記載の孔版印刷装置。
【請求項４】
前記製版幅検出手段と、前記原稿読取部で読取った原稿画像の最適な変倍率を前記原稿サイズと前記孔版原紙の製版幅に基づいて算出し設定する変倍率決定手段を有することを特徴とする請求項１記載の孔版印刷装置。
【請求項５】
さらに前記給紙部に配置された印刷用紙のサイズを検出する印刷用紙サイズ検出手段を備え、
前記変倍率決定手段は前記原稿サイズと前記孔版原紙の前記製版幅と前記印刷用紙サイズに基づいて最適な変倍率を算出し設定することを特徴とする請求項４記載の孔版印刷装置。
【請求項６】
前記印面サイズ設定手段及び前記製版幅検出手段と、前記原稿読取部で読取った原稿画像の最適な変倍率を前記原稿サイズと前記印面サイズと前記孔版原紙の製版幅に基づいて算出し設定する変倍率決定手段を有することを特徴とする請求項１記載の孔版印刷装置。
【請求項７】
前記印面サイズ設定手段と、１枚の孔版原紙に複数の原稿画像を並べて製版する連写機能において連写面数を設定する連写面数設定手段と、前記原稿読取部で読取った原稿画像の最適な変倍率を前記原稿サイズと前記印面サイズと前記連写面数に基づいて算出し設定する変倍率決定手段を有することを特徴とする請求項１記載の孔版印刷装置。
【請求項８】
さらに前記給紙部に配置された印刷用紙のサイズを検出する印刷用紙サイズ検出手段を備え、
前記変倍率決定手段は前記原稿サイズおよび前記印面サイズおよび前記連写面数および前記印刷用紙サイズに基づいて最適な変倍率を算出し設定することを特徴とする請求項７記載の孔版印刷装置。
【請求項９】
前記製版幅検出手段と、１枚の孔版原紙に複数の原稿画像を並べて製版する連写機能において連写面数を設定する連写面数設定手段と、前記原稿読取部で読取った原稿画像の最適な変倍率を前記原稿サイズと前記孔版原紙の製版幅と前記連写面数に基づいて算出し設定する変倍率決定手段を有することを特徴とする請求項１記載の孔版印刷装置。
【請求項１０】
さらに前記給紙部に配置された印刷用紙のサイズを検出する印刷用紙サイズ検出手段を備え、
前記変倍率決定手段は前記原稿サイズおよび前記孔版原紙の製版幅および前記連写面数および前記印刷用紙サイズに基づいて最適な変倍率を算出し設定することを特徴とする請求項９記載の孔版印刷装置。
【請求項１１】
前記印面サイズ設定手段及び前記製版幅検出手段と、１枚の孔版原紙に複数の原稿画像を並べて製版する連写機能において連写面数を設定する連写面数設定手段と、前記原稿読取部で読取った原稿画像の最適な変倍率を前記原稿サイズと前記印面サイズと前記孔版原紙の製版幅と前記連写面数に基づいて算出し設定する変倍率決定手段を有することを特徴とする請求項１記載の孔版印刷装置。
【請求項１２】
さらに装置本体に対するドラムユニットの着脱を検出する実装検出手段を備え、
前記実装検出手段によって装置本体におけるドラムユニットの交換が検出された場合に、前記変倍率決定手段は再度変倍率を計算し直して自動的に再設定することを特徴とする請求項１、２、３、６、７、８、１１のいずれか一つに記載の孔版印刷装置。
【請求項１３】
さらに前記実装検出手段がドラムユニットの交換を検出した場合に、前記装置本体に新たに実装されたドラムユニットの印面サイズとそれまでに実装されていたドラムユニットの印面サイズを比較し、２つのドラムユニットの印面サイズが異なるか否かを判別するドラムサイズ比較判別手段と、
２つのドラムユニットの印面サイズが異なると前記ドラムサイズ比較判別手段が判別した場合に、その旨及び再設定された変倍率は以前の変倍率とは異なっている旨を前記パネルユニットに表示させる告知手段とを備えることを特徴とする請求項１２に記載の孔版印刷装置。
【請求項１４】
さらに装置本体に対するドラムユニットの着脱を検出する実装検出手段と、
前記実装検出手段がドラムユニットの交換を検出した場合に、前記装置本体に新たに実装されたドラムユニットの印面サイズとそれまでに実装されていたドラムユニットの印面サイズを比較し、２つのドラムユニットの印面サイズが異なるか否かを判別するドラムサイズ比較判別手段と、
２つのドラムユニットの印面サイズが異なると前記ドラムサイズ比較判別手段が判別した場合に、その旨と、新たに実装されたドラムユニットに応じた変倍率を設定するか又はそれまで実装されていたドラムユニットの変倍率を継続するかの選択をユーザーに委ねる旨を前記パネルユニットに表示させる告知手段とを有し、
ユーザーが前記パネルユニットにおける表示を見て前記変倍率のいずれを選択するか前記パネルユニットから指示できるようにしたことを特徴とする請求項１、２、３、６、７、８、１１のいずれか一つに記載の孔版印刷装置。
【請求項１５】
さらに装置本体に対する孔版原紙の着脱を検出する孔版原紙装着検出手段を備え、
前記孔版原紙装着検出手段によって装置本体における孔版原紙の着脱が検出された場合に、前記変倍率決定手段は再度変倍率を計算し直して自動的に再設定することを特徴とする請求項１、４、５、６、９、１０、１１のいずれか一つに記載の孔版印刷装置。
【発明の詳細な説明】
【技術分野】
【０００１】
本発明は、原稿画像を感熱製版した孔版原紙をドラムユニットに装着し、孔版原紙の穿孔部分を通過したインクを印刷用紙に転写する孔版印刷装置に係り、特に原稿サイズを縮小または拡大する変倍率決定手段を備えており、原稿サイズと、孔版原紙の製版幅及びドラムユニットの印面サイズの少なくとも一方から、製版に適した変倍率を算出することができる孔版印刷装置に関する。
【背景技術】
【０００２】
従来より、原稿サイズと用紙サイズより変倍率を計算し、自動的に設定する複写装置が知られている（特許文献１参照）。また、製版部、印刷部、排版部等を備えた一体型孔版印刷装置は既に知られており、さらに１枚の孔版原紙に複数の原稿画像を並べて製版する連写機能を実装し、原稿サイズ、用紙サイズおよび連写の面数より変倍率を計算して自動的に設定する孔版印刷装置も知られている（特許文献２及び３参照）。
【０００３】
上述した複写装置や孔版印刷装置では、装置本体に装着されている転写ドラムまたは印刷ドラムの転写領域サイズは固定的であり、転写動作毎に変化することは無かった。従って、原稿サイズ、用紙サイズおよび連写の面数より変倍率を一律的に算出することが可能である。
【０００４】
一方で１台の孔版印刷装置に製版サイズの異なる孔版原紙や印面サイズの異なるドラムユニットを装着可能とし、印刷コストを抑えることも行われている（特許文献４参照）。このような孔版印刷装置においては、ユーザーが使用する原稿サイズ・用紙サイズに応じて印面サイズの異なるドラムユニットに交換して製版を行う事が有る。また、ユーザーが使用する原稿サイズ・用紙サイズに応じて製版幅の異なる孔版原紙に交換して製版を行う事が有る。
【特許文献１】特開平３−４２６５１号公報
【特許文献２】特開２００１−２６０５１２号公報
【特許文献３】特開２００４−３０６３２６号公報
【特許文献４】特開２００１−８８４１９号公報
【発明の開示】
【発明が解決しようとする課題】
【０００５】
製版サイズの異なる孔版原紙や印面サイズの異なるドラムユニットを装着可能とした前述したような従来の孔版印刷装置において、変倍率を自動的に計算することとした場合、ユーザーが印面サイズの異なるドラムユニットに交換し、または製版幅の異なる孔版原紙に交換して、製版動作や連写動作を行うと、ドラムユニットの印面サイズや孔版原紙の製版幅の情報を考慮しないで変倍率が計算され、自動的に設定されてしまう事となってしまう。
【０００６】
上記の場合における製版動作では、自動的に設定された変倍率で処理された原稿画像データが、ドラムユニットの印面サイズや孔版原紙の製版幅を上回る大きさのサイズとなり、印刷用紙に印刷をおこなった時に原稿画像データの全てを印刷用紙上に転写できない事がある。
【０００７】
また、上記の場合における連写動作では、自動的に設定された変倍率で処理された原稿画像データが、ドラムユニットの印面サイズや孔版原紙の製版幅を上回る大きさのサイズとなり、印刷用紙に印刷をおこなった時に連写機能で設定した面数の原稿画像データの全てを印刷用紙上に転写できない事がある。
【０００８】
また、変倍率が計算され自動的に設定された直後に、ユーザーが印面サイズの異なるドラムユニットに交換し、または製版幅の異なる孔版原紙に交換して、その後に製版動作や連写動作を行った場合には、先に設定された変倍率で処理された原稿画像データが、変倍率の設定直後に交換したドラムユニットの印面サイズや孔版原紙の製版幅を上回る大きさのサイズとなり、印刷用紙に印刷を行った時に原稿画像データの全てを印刷用紙上に転写できない事がある。
【０００９】
また、従来の孔版印刷装置の使用態様においては、原稿画像を可能な限り大きく転写することでユーザーが原稿内容を見易くしたいとの要望がある。この様な場合は通紙可能な最大サイズの印刷用紙を給紙部にセットして製版動作を実行する事になるが、前記最大サイズの印刷用紙が必ずしも前記孔版印刷装置において判別可能な定型サイズの印刷用紙であるとは限らず、前記孔版印刷装置がサイズ不定形と判断する特殊サイズ用紙やユーザーが裁断した用紙である場合も多々有る。
【００１０】
すると、原稿サイズ等に応じて変倍率を設定する前述したような孔版印刷装置において前記特殊サイズ用紙やユーザーが裁断した用紙を利用する場合には、用紙サイズ情報の検出が不能で変倍率を計算し自動的に設定することが出来ないため、ユーザーは任意の変倍率を手動設定し製版動作や連写動作を行う必要がある。
【００１１】
しかし、ユーザーが任意に手動設定した変倍率で製版動作や連写動作をおこなった結果、原稿画像データがドラムユニットの印面サイズや孔版原紙の製版幅を下回る小さいサイズとなり、印刷用紙に印刷をおこなった時に原稿画像が印刷用紙の一部分にのみ転写され、印刷用紙の周辺部には大きな余白領域が発生してしまう事がある。
【００１２】
本発明は、以上の課題に鑑みてなされたものであり、製版サイズの異なる孔版原紙や印面サイズの異なるドラムユニットが装着可能であり、かつ変倍率を自動的に計算することができる孔版印刷装置において、ユーザーが印面サイズの異なるドラムユニットに交換し、または製版幅の異なる孔版原紙に交換して製版動作や連写動作を行う場合にも、ドラムユニットの印面サイズや孔版原紙の製版幅の変更を考慮に入れて変倍率が計算・設定されるために、印刷用紙に印刷を行った時に原稿画像データの全てを印刷用紙上に転写できる孔版印刷装置を提供することを目的としている。
【課題を解決するための手段】
【００１３】
請求項１に記載された孔版印刷装置は、
装置本体に対して着脱可能に実装されて製版された孔版原紙が装着されるドラムユニットと、操作入力及び表示を行うパネルユニットと、配置された原稿の原稿画像を読取る原稿読取部と、読取られた原稿画像を孔版原紙に製版する製版部と、製版に供される孔版原紙を保持する孔版原紙ホルダと、配置された印刷用紙を供給する給紙部と、前記ドラムユニットに装着された製版済の孔版原紙からインクを印刷用紙に転写させる印刷部と、印刷済の印刷用紙を排出する排紙部とを備えた孔版印刷装置において、
前記原稿読取部に配置される原稿の原稿サイズを検出する原稿サイズ検出手段と、
前記装置本体に実装されたドラムユニットの印面サイズを設定する印面サイズ設定手段及び前記孔版原紙ホルダに保持された孔版原紙の製版幅を検出する製版幅検出手段からなる群から選択された少なくとも一つの手段と、
前記原稿読取部で読取った原稿画像の最適な変倍率を、少なくとも、前記原稿サイズと、前記印面サイズ及び前記製版幅から構成される群から選択された１以上の項目とに基づいて算出し設定する変倍率決定手段とを有することを特徴としている。
【００１４】
請求項２に記載された孔版印刷装置は、請求項１記載の孔版印刷装置において、
前記印面サイズ設定手段と、前記原稿読取部で読取った原稿画像の最適な変倍率を前記原稿サイズと前記印面サイズに基づいて算出し設定する変倍率決定手段を有することを特徴としている。
【００１５】
請求項３に記載された孔版印刷装置は、請求項２記載の孔版印刷装置において、
さらに前記給紙部に配置された印刷用紙のサイズを検出する印刷用紙サイズ検出手段を備え、
前記変倍率決定手段は前記原稿サイズと前記印面サイズと前記印刷用紙サイズに基づいて最適な変倍率を算出し設定することを特徴としている。
【００１６】
請求項４に記載された孔版印刷装置は、請求項１記載の孔版印刷装置において、
前記製版幅検出手段と、前記原稿読取部で読取った原稿画像の最適な変倍率を前記原稿サイズと前記孔版原紙の製版幅に基づいて算出し設定する変倍率決定手段を有することを特徴としている。
【００１７】
請求項５に記載された孔版印刷装置は、請求項４記載の孔版印刷装置において、
さらに前記給紙部に配置された印刷用紙のサイズを検出する印刷用紙サイズ検出手段を備え、
前記変倍率決定手段は前記原稿サイズと前記孔版原紙の前記製版幅と前記印刷用紙サイズに基づいて最適な変倍率を算出し設定することを特徴としている。
【００１８】
請求項６に記載された孔版印刷装置は、請求項１記載の孔版印刷装置において、
前記印面サイズ設定手段及び前記製版幅検出手段と、前記原稿読取部で読取った原稿画像の最適な変倍率を前記原稿サイズと前記印面サイズと前記孔版原紙の製版幅に基づいて算出し設定する変倍率決定手段を有することを特徴としている。
【００１９】
請求項７に記載された孔版印刷装置は、請求項１記載の孔版印刷装置において、
前記印面サイズ設定手段と、１枚の孔版原紙に複数の原稿画像を並べて製版する連写機能において連写面数を設定する連写面数設定手段と、前記原稿読取部で読取った原稿画像の最適な変倍率を前記原稿サイズと前記印面サイズと前記連写面数に基づいて算出し設定する変倍率決定手段を有することを特徴としている。
【００２０】
請求項８に記載された孔版印刷装置は、請求項７記載の孔版印刷装置において、
さらに前記給紙部に配置された印刷用紙のサイズを検出する印刷用紙サイズ検出手段を備え、
前記変倍率決定手段は前記原稿サイズおよび前記印面サイズおよび前記連写面数および前記印刷用紙サイズに基づいて最適な変倍率を算出し設定することを特徴としている。
【００２１】
請求項９に記載された孔版印刷装置は、請求項１記載の孔版印刷装置において、
前記製版幅検出手段と、１枚の孔版原紙に複数の原稿画像を並べて製版する連写機能において連写面数を設定する連写面数設定手段と、前記原稿読取部で読取った原稿画像の最適な変倍率を前記原稿サイズと前記孔版原紙の製版幅と前記連写面数に基づいて算出し設定する変倍率決定手段を有することを特徴としている。
【００２２】
請求項１０に記載された孔版印刷装置は、請求項９記載の孔版印刷装置において、
さらに前記給紙部に配置された印刷用紙のサイズを検出する印刷用紙サイズ検出手段を備え、
前記変倍率決定手段は前記原稿サイズおよび前記孔版原紙の製版幅および前記連写面数および前記印刷用紙サイズに基づいて最適な変倍率を算出し設定することを特徴としている。
【００２３】
請求項１１に記載された孔版印刷装置によれば、請求項１記載の孔版印刷装置において、
前記印面サイズ設定手段及び前記製版幅検出手段と、１枚の孔版原紙に複数の原稿画像を並べて製版する連写機能において連写面数を設定する連写面数設定手段と、前記原稿読取部で読取った原稿画像の最適な変倍率を前記原稿サイズと前記印面サイズと前記孔版原紙の製版幅と前記連写面数に基づいて算出し設定する変倍率決定手段を有することを特徴としている。
【００２４】
請求項１２に記載された孔版印刷装置は、請求項１、２、３、６、７、８、１１のいずれか一つに記載の孔版印刷装置において、
さらに装置本体に対するドラムユニットの着脱を検出する実装検出手段を備え、
前記実装検出手段によって装置本体におけるドラムユニットの交換が検出された場合に、前記変倍率決定手段は再度変倍率を計算し直して自動的に再設定することを特徴としている。
【００２５】
請求項１３に記載された孔版印刷装置は、請求項１２に記載の孔版印刷装置において、
さらに前記実装検出手段がドラムユニットの交換を検出した場合に、前記装置本体に新たに実装されたドラムユニットの印面サイズとそれまでに実装されていたドラムユニットの印面サイズを比較し、２つのドラムユニットの印面サイズが異なるか否かを判別するドラムサイズ比較判別手段と、
２つのドラムユニットの印面サイズが異なると前記ドラムサイズ比較判別手段が判別した場合に、その旨及び再設定された変倍率は以前の変倍率とは異なっている旨を前記パネルユニットに表示させる告知手段とを備えることを特徴としている。
【００２６】
請求項１４に記載された孔版印刷装置は、請求項１、２、３、６、７、８、１１のいずれか一つに記載の孔版印刷装置において、
さらに装置本体に対するドラムユニットの着脱を検出する実装検出手段と、
前記実装検出手段がドラムユニットの交換を検出した場合に、前記装置本体に新たに実装されたドラムユニットの印面サイズとそれまでに実装されていたドラムユニットの印面サイズを比較し、２つのドラムユニットの印面サイズが異なるか否かを判別するドラムサイズ比較判別手段と、
２つのドラムユニットの印面サイズが異なると前記ドラムサイズ比較判別手段が判別した場合に、その旨と、新たに実装されたドラムユニットに応じた変倍率を設定するか又はそれまで実装されていたドラムユニットの変倍率を継続するかの選択をユーザーに委ねる旨を前記パネルユニットに表示させる告知手段とを有し、
ユーザーが前記パネルユニットにおける表示を見て前記変倍率のいずれを選択するか前記パネルユニットから指示できるようにしたことを特徴としている。
【００２７】
請求項１５に記載された孔版印刷装置は、請求項１、４、５、６、９、１０、１１のいずれか一つに記載の孔版印刷装置において、
さらに装置本体に対する孔版原紙の着脱を検出する孔版原紙装着検出手段を備え、
前記孔版原紙装着検出手段によって装置本体における孔版原紙の着脱が検出された場合に、前記変倍率決定手段は再度変倍率を計算し直して自動的に再設定することを特徴としている。
【発明の効果】
【００２８】
このように、請求項１乃至１１に記載の発明によれば、ドラムユニットや孔版原紙がユーザーの任意の選択により交換可能であるような孔版印刷装置において製版動作や連写動作を行う場合に、原稿サイズの情報、用紙サイズの情報、連写機能における連写面数の情報に加えて、交換による変更の可能性があるドラムユニットの印面サイズや孔版原紙の製版幅の情報をも考慮した上で変倍率を計算し、自動的に設定することとした。
【００２９】
従って、製版動作の場合、自動的に設定された変倍率で処理された原稿画像データが、ドラムユニットの印面サイズや孔版原紙の製版幅を上回る大きさのサイズとなり、印刷用紙に印刷を行った時に原稿画像データの全てを印刷用紙上に転写できない等の課題を解消する事が出来る。
【００３０】
また、連写動作の場合、自動的に設定された変倍率で処理された原稿画像データが、ドラムユニットの印面サイズや孔版原紙の製版幅を上回る大きさのサイズとなり、印刷用紙に印刷を行った時に連写機能で設定した面数の原稿画像データの全てを印刷用紙上に転写できない等の課題を解消する事が出来る。
【００３１】
従って、特殊サイズ用紙やユーザーが裁断した用紙を利用する場合であっても、原稿画像データがドラムユニットの印面サイズや孔版原紙の製版幅を下回る小さいサイズとなり、印刷用紙に印刷を行った時に原稿画像が印刷用紙の一部分にのみ転写され、印刷用紙の周辺部には大きな余白領域が発生してしまう等の課題を解消する事が出来る。
【００３２】
また、請求項１２に記載の発明によれば、装置本体に対するドラムユニットの着脱を実装検出手段によって検出できるので、ドラムユニットの交換が検出された場合に変倍率の自動的な再計算及び再設定を確実に自動で行うことができる。
【００３３】
さらに、請求項１３に記載の発明によれば、交換された２つのドラムユニットの印面サイズが異なる場合には、交換に伴って再設定された変倍率が以前の変倍率と異なっている旨をパネルユニットに表示して、ユーザーの注意を喚起することができる。
【００３４】
また、請求項１４に記載の発明によれば、装置本体に対するドラムユニットの着脱を実装検出手段によって確実に検出でき、交換された２つのドラムユニットの印面サイズが異なる場合には、新たに設定したドラムユニットに応じた新変倍率と取り外したドラムユニットに応じた旧変倍率のいずれを選択をするかユーザーに判断を委ねるので、ユーザーとしては装置使用上の選択肢が増えて使い勝手が向上するという効果がある。
【００３５】
また、請求項１５に記載の発明によれば、装置本体に対する孔版原紙の着脱を孔版原紙装着検出手段によって検出できるので、孔版原紙の交換が検出された場合に変倍率の自動的な再計算及び再設定を確実に自動で行うことができる。
【発明を実施するための最良の形態】
【００３６】
以下に説明する実施形態の孔版印刷装置は、製版部、印刷部、給紙部、排版部、制御部等を有する一体型の孔版印刷装置である。この孔版印刷装置は、原稿サイズを縮小または拡大する変倍率決定手段を有するとともに、１枚の孔版原紙に複数の原稿画像を並べて製版する連写機能を有し、さらに孔版原紙やドラムユニットを、それぞれ製版サイズの異なる孔版原紙や印面サイズの異なるドラムユニットに交換して装着できる孔版印刷装置であって、特に従来変倍率算出の基準とされていた各項目以外に、孔版原紙の製版幅及びドラムユニットの印面サイズの少なくとも一方を基準の一つに用い、製版に適した変倍率を算出できるようにしたものである。
【００３７】
(1) 第１実施形態（図１〜図１１）
図１は第１実施形態（以下、第１例とも呼ぶ）の孔版印刷装置１の内部概略構造を模式的に透視して示した側面図、図２はその制御構成を示すブロック図である。
図１に示すように、第１例の孔版印刷装置１は、内部にインク供給手段を有するとともに外面には製版された孔版原紙が巻装され、装置本体に着脱可能に実装されて回転駆動される円筒形状のドラムユニット２と、セットされた原稿の原稿画像をスキャナで読取る原稿読取部３と、読取った原稿画像を孔版原紙４に製版する製版部５と、製版に供される孔版原紙４を製版部５に供給できるように保持する孔版原紙ホルダ６と、印刷用紙７が積載された状態でセットされる給紙部８と、給紙部８から供給された印刷用紙７を回転駆動されるドラムユニット２に押圧することにより孔版原紙４の穿孔部を通して印刷用紙７にインクを転写させるプレスローラ等の印刷部９と、印刷済の印刷用紙７を排出する排紙部１０等を備えている。
【００３８】
そして、孔版原紙ホルダ６とドラムユニット２の間に設けられた前記製版部５は、サーマルヘッドとプラテンローラを有しており、ロール状の孔版原紙４を回転自在に保持した孔版原紙ホルダ６から供給される孔版原紙４に原稿画像を感熱製版し、この製版された孔版原紙４はドラムユニット２に供給され、その外面の印刷領域に巻装されて印刷に供される。ここで、ドラムユニット２の印面サイズ（印刷領域のサイズ）と、これに巻装して使用される孔版原紙４の製版幅は原則として対応しており、使用すべきドラムユニット２を選択して装置本体に実装した時点で、これに対してサイズ的に最も適合する孔版原紙４の種類は一義的に定まるが、少なくともドラムユニット２の印面を覆うことができるサイズの孔版原紙であれば使用可能である。
【００３９】
図２に示すように、第１例の孔版印刷装置１は、制御手段としてＣＰＵユニット１１を有しており、後述する装置各部に設けられた各種検出手段等からの信号を受けて装置の状態を認識し、またパネルユニット１２からの操作入力を受けてユーザーの指示を受け取り、メモリ手段１３及びドラムユニット２の印面サイズ比較手段１４を用いて各種の情報処理を行って装置全体を統轄的に制御する。
【００４０】
図３はパネルユニット１２を示す平面図である。図２乃至図３に示すように、第１例のパネルユニット１２は、テンキー１５及び方向キー１６と、操作入力手段２０、メッセージ表示手段２１、変倍率表示手段２２及び連写面数設定手段２３として機能するタッチパネル２４を備えている。
【００４１】
図４は、ドラムユニット２の斜視図である。図４に示すように、ドラムユニット２は、装置本体に対して引出し可能に設けられたドラムレール２５に対して着脱可能に実装されており、装置本体から外に引き出したドラムレール２５からドラムユニット２を外せば、空となったドラムレール２５に対して交換用の他のドラムユニット２を取り付けることができる。このドラムユニット２は印面がＡ３サイズのもの、Ｂ４サイズのもの、Ａ４サイズのもの等、複数種類の印面のユニットが用意されており、図２乃至図４に示すように、ドラムユニット２の印面サイズ設定手段２６（ディップスイッチ）によってドラムユニット２毎に設定された印面サイズ情報は、ドラムユニット２を装置本体に挿入・装着した時点で装置本体の制御手段であるＣＰＵユニット１１に転送され、装置本体に装着されたドラムユニット２の印面サイズがＣＰＵユニット１１によって判断される。
【００４２】
図２乃至図４に示すように、ドラムユニット２と装置本体の間で信号の伝達交換を行うコネクタ２７には、装置本体とドラムユニット２の着脱を検出するドラムユニット２の実装検出手段（抜き差しセンサ）２８が設けられている。
【００４３】
図５は、パネルユニット１２のタッチパネル２４における表示内容を示したものである。同図（ａ）は、孔版印刷装置１の電源を投入した場合に表示される初期画面で、変倍率は初期値の１００％が設定される。同図（ｂ）は、連写機能を選択した場合に表示される画面で、１枚の孔版原紙４に並べて製版する面数を設定する操作を行うことができる。
【００４４】
図６は、原稿読取部３の平面図を示したもので、原稿を配置する原稿ガラスの下側には、図２乃至図６に示すように、原稿サイズを検出する例えば反射センサーからなる複数の原稿サイズ検出手段２９（Ａ〜Ｄ）が検出すべき原稿のサイズに応じて設けられており、検出した原稿サイズ情報は装置本体のＣＰＵユニット１１に転送され、原稿ガラス上に配置した原稿のサイズが判断される。
【００４５】
図７は、孔版原紙ホルダ６及びこれに装着された孔版原紙４を示す斜視図であり、第１例では長体帯状の孔版原紙４をロール状に巻いた孔版原紙４が使用される。図７には示さないが、上記孔版原紙ホルダ６には、セットされた孔版原紙の幅を検出するための複数の所定の位置にセットされた反射センサーからなる（図２に示す孔版原紙４の）製版幅検出手段３０（サイズ検出手段）によって、孔版原紙ホルダ６に装着された孔版原紙４の幅情報を検出し、検出した孔版原紙４の製版幅情報は装置本体のＣＰＵユニット１１に転送され、孔版原紙ホルダ６に装着された孔版原紙４の幅が判断される。
【００４６】
図８は、給紙部８の平面図を示したもので、積載された印刷用紙７の幅方向の両端に当接するように一対の給紙フェンス３１，３１が同幅方向に移動自在として設置されており、印刷用紙７の幅寸法に対応した給紙フェンス３１，３１の設定位置はポテンショメータ等の印刷用紙幅検出手段３２により検出される。また、積載された印刷用紙７の長さ方向には用紙の有無を検出する例えば反射センサーからなる印刷用紙長さ検出手段３３が設けられている。印刷用紙幅検出手段３２の検出情報と印刷用紙長さ検出手段の検出情報は、図２に示すように装置本体のＣＰＵユニット１１に転送され、ＣＰＵユニット１１が給紙部８に積載した印刷用紙７のサイズを判断する。
【００４７】
次に、以上の構成になる第１例の孔版印刷装置１において、製版に先立って行われる変倍率の算出・設定における制御動作（連写機能を設定しない場合）について説明する。
図９は、第１例の制御プロセスをフローチャートに示したものである。孔版印刷装置１の電源が投入されると、電装系、メカ系の各部が初期化処理を実施した後（ステップ１１、以下Ｓ１１のように記す。）、パネルユニット１２の表示部には図５（ａ）の初期画面が表示され、この時点で変倍率は初期値の１００％が設定される（Ｓ１２）。
【００４８】
ＣＰＵユニット１１は、装置本体に挿入されているドラムユニット２の印面サイズ設定手段２６から転送された印面サイズ情報と、孔版原紙４が装着された孔版原紙ホルダ６の製版幅検出手段３０から転送された孔版原紙４の製版幅情報と、給紙部８の印刷用紙幅検出手段３２及び印刷用紙長さ検出手段３３から転送された用紙サイズ情報を受信し、これらのデータを基に以下に説明するような判断を行ってその結果を保存する（Ｓ１３）。
【００４９】
ＣＰＵユニット１１は、ドラムユニット２の印面サイズ設定手段２６から転送された印面サイズ情報を基に、装置本体に挿入されたドラムユニット２の印面サイズがＡ３サイズか、またはＢ４サイズか、またはＡ４サイズかを判断し、その判断結果をメモリ手段１３へ保存する（Ｓ１３）。
【００５０】
ＣＰＵユニット１１は、孔版原紙ホルダ６の製版幅検出手段３０から転送された孔版原紙４の製版幅情報を基に、孔版原紙ホルダ６に装着された孔版原紙４の製版幅がＡ３幅か、またはＢ４幅か、またはＡ４幅なのかを判断し、その判断結果をメモリ手段１３へ保存する（Ｓ１３）。
【００５１】
ＣＰＵユニット１１は、給紙部８の印刷用紙幅検出手段３２及び印刷用紙長さ検出手段３３から転送された用紙サイズ情報を基に、給紙台に積載された印刷用紙７がＡ３サイズか、またはＢ４サイズか、またはＡ４サイズか、またはＢ５サイズか、または定型外サイズなのかを判断し、その判断結果をメモリ手段１３へ保存する（Ｓ１３）。
【００５２】
ユーザーが製版を行うために、原稿読取部３の原稿ガラス上に原稿を配置し、図示せぬ圧板カバーを閉じて原稿を原稿ガラスとの間に挟み（Ｓ１４、ＹＥＳ）、パネルユニット１２から読取開始の操作入力を行うと、原稿ガラスの下側に設けられた複数の反射型フォトセンサからなる原稿サイズ検出手段２９は、原稿面へ光を照射するとともに、その反射光を受けて原稿の画像に対応した信号を画像サイズ情報として出力し、これをＣＰＵユニット１１に転送する（Ｓ１５）。
【００５３】
ＣＰＵユニット１１は、各原稿サイズ検出手段２９から転送された画像サイズ情報を基に、原稿読取部３の原稿ガラス上に配置された原稿がＡ３サイズか、またはＢ４サイズか、またはＡ４サイズか、またはＢ５サイズか、または定型外サイズなのかを判断し、メモリ手段１３へ保存する（Ｓ１５）。
【００５４】
続いてＣＰＵユニット１１は、保存している原稿サイズとドラムユニット２の印面サイズと孔版原紙４の製版幅と印刷用紙サイズから、原稿画像の一部分が欠けること無く全てが印刷用紙７上に転写できる変倍率を算出し（Ｓ１６）、パネルユニット１２の変倍率表示手段２２に設定する（Ｓ１７）。
【００５５】
次に、図１０は、図９のＳ１６における変倍率の算出処理プロセスを、フローチャートに示したものである。
ドラムユニット２の印面サイズ、孔版原紙４の製版幅、印刷用紙サイズの３条件の中から一番小さいサイズを抽出し、このサイズを有効サイズと定める（Ｓ２１）。
【００５６】
次に原稿サイズと有効サイズを比較し、両者が同サイズの場合（Ｓ２２，ＹＥＳ）は倍率を１００％に設定する（Ｓ２３）。
【００５７】
原稿サイズが大きい場合（Ｓ２２，ＮＯかつＳ２４，ＹＥＳ）は原稿サイズを有効サイズに縮小する倍率を算出し設定する（Ｓ２５）。
【００５８】
原稿サイズが小さい場合（Ｓ２２，ＮＯかつＳ２４，ＮＯ）は原稿サイズを有効サイズに拡大する倍率を算出し設定する（Ｓ２６）。
【００５９】
図１１は、Ａ４サイズのドラムユニット２が挿入され、Ｂ４幅の孔版原紙４が装着され、Ｂ４サイズの印刷用紙７が積載された状態で、Ａ３サイズの原稿を配置した場合に、変倍率がＡ３サイズからＡ４サイズへの７１％縮小として算出設定されたときのパネルユニット１２の表示部（タッチパネル２４）を示したものである。
【００６０】
この事例では、ドラムユニット２のＡ４サイズを有効サイズとして原稿のＡ３サイズと比較し、原稿サイズＡ３を有効サイズＡ４に縮小する倍率７１％が算出された。
【００６１】
(2) 第２実施形態（図１２〜図１４）
第２実施形態（以下、第２例とも呼ぶ）は、第１例と同一の構成の孔版印刷装置１において、製版に先立つ変倍率の算出・設定を行う制御動作を、連写機能を設定する場合について説明するものであり、図１２は、その制御プロセスをフローチャートに示したものである。
【００６２】
図１２において、Ｓ３１〜Ｓ３３は、第１例の図９におけるＳ１１〜Ｓ１３と同一であり、孔版印刷装置１の電源が投入された後に、ＣＰＵユニット１１がドラムユニット２の印面サイズ情報、孔版原紙４の製版幅情報、印刷用紙７の用紙サイズ情報を受信・保存するまでの処理プロセスを示す。
【００６３】
図１２において、ユーザーが１枚の孔版原紙４に複数の原稿画像を並べて製版する連写機能を選択した場合は（Ｓ３４、ＹＥＳ）、パネルユニット１２に図５（ｂ）に示すような連写面数設定画面を表示する。この画面では、図５（ｂ）に示すように２面から８面の何れかを選択するようになっており、又は図１２のＳ３５に示すように２面から１６面の何れかを選択するようにしてもよい。なお、１枚の孔版原紙４にはめ込まれる各原稿画像のサイズは同一である。
【００６４】
ユーザーが製版を行うために、原稿読取部３の原稿ガラス上に原稿を配置し、図示せぬ圧板カバーを閉じて原稿を原稿ガラスとの間に挟み（Ｓ３６、ＹＥＳ）、パネルユニット１２から読取開始の操作入力を行うと、原稿ガラスの下側に設けられた複数の反射型フォトセンサからなる原稿サイズ検出手段２９は、原稿面へ光を照射するとともに、その反射光を受けて原稿の画像に対応した信号を画像サイズ情報として出力し、これをＣＰＵユニット１１に転送する（Ｓ３７）。
【００６５】
ＣＰＵユニット１１は、各原稿サイズ検出手段２９から転送された画像サイズ情報を基に、原稿読取部３の原稿ガラス上に配置された原稿がＡ３サイズか、またはＢ４サイズか、またはＡ４サイズか、またはＢ５サイズか、または定型外サイズなのかを判断し、メモリ手段１３へ保存する（Ｓ３７）。
【００６６】
続いてＣＰＵユニット１１は、保存している原稿サイズとドラムユニット２の印面サイズと孔版原紙４の製版幅と印刷用紙サイズ、及び選択された連写の面数から、原稿画像の一部分が欠けること無く全てが印刷用紙７上に転写でき、連写機能で設定した面数の全ての原稿画像を１枚の孔版原紙４に確実に配置して製版することが出来る変倍率を算出し（Ｓ３８）、パネルユニット１２の変倍率表示手段２２であるタッチパネル２４に設定する（Ｓ３９）。
【００６７】
図１３は、連写機能設定時の変倍率の算出処理プロセスをフローチャートに示したものである。
ドラムユニット２の印面サイズ、孔版原紙４の製版幅、印刷用紙サイズの３条件の中から一番小さいサイズを抽出し、このサイズを有効サイズと定める（Ｓ４１）。
【００６８】
パネルから設定された連写の面数で、有効サイズを分割した時の１つ当りのエリアサイズを分割サイズと定める（Ｓ４２）。
【００６９】
原稿サイズと分割サイズを比較し、両者が同サイズの場合（Ｓ４３、ＹＥＳ）は倍率を１００％に設定する（Ｓ４４）。
【００７０】
原稿サイズが大きい場合（Ｓ４３でＮＯかつＳ４５でＹＥＳ）は原稿サイズを分割サイズに縮小する倍率を算出し設定する（Ｓ４６）。
【００７１】
また、原稿サイズが小さい場合（Ｓ４３でＮＯかつＳ４５でＮＯ）は原稿サイズを分割サイズに拡大する倍率を算出し設定する（Ｓ４７）。
【００７２】
図１４は、Ｂ４サイズのドラムユニット２が挿入され、Ｂ４幅の孔版原紙４が装着され、Ａ３サイズの印刷用紙７が積載された状態で、連写機能の４面連写を設定し、Ｂ４サイズの原稿を配置した場合に、変倍率がＢ４サイズからＢ６サイズへの５０％縮小として算出設定されたときのパネルユニット１２の表示部（タッチパネル２４）を示したものである。この事例では、ドラムユニット２のＢ４サイズを有効サイズとし、分割サイズのＢ６と原稿のＢ４サイズと比較し、原稿サイズＢ４を分割サイズＢ６に縮小する倍率５０％が算出される。
【００７３】
(3) 第３実施形態（図１５及び図１６）
第３実施形態（以下、第３例とも呼ぶ）は、第１例と同一の構成の孔版印刷装置１において、２種類の原稿１、２をそれぞれ製版・印刷し、これらを１枚の印刷用紙７に合成して出力する場合の変倍率算出プロセスを示したものである。なお、図示のイラストは一例に過ぎず、一の画像を得るために合成する複数原稿の数にはもちろん限定はない。
【００７４】
孔版印刷装置１の電源が投入された後に、ＣＰＵユニット１１がドラムユニット２の印面サイズ情報、孔版原紙４の製版幅情報、印刷用紙７の用紙サイズ情報を受信・保存するまでの処理プロセスは第１例及び第２例と同一である。
【００７５】
図１５に示すように、第３例では、原稿１はＡ３サイズで左上に太陽のイラストが描かれており、印面サイズＢ４の赤インクを装着したドラムユニット２（赤）で印刷を行うものとする。原稿２はＡ３サイズで中央に山のイラストが描かれており、印面サイズＡ３の黒インクを装着したドラムユニット２（黒）で印刷を行うものとする。
【００７６】
まず、装置本体にドラムユニット２（赤）を実装した状態で、原稿１の製版・印刷を実行する。図１０のフローチャートに従って倍率の算出がおこなわれ、Ａ３からＢ４サイズに縮小する７１％の倍率が設定され、Ａ３サイズの印刷用紙７に原稿よりも縮小された太陽のイラストが赤インクで印刷される。
【００７７】
続いて、装置本体からドラムユニット２（赤）を抜き出し、新たにドラムユニット２（黒）を実装した後、原稿２を原稿読取部３にセットする。ＣＰＵユニット１１は、ドラムユニット２に設けられた実装検出手段２８（抜き差しセンサ）によりドラムユニット２の抜き差しを検出すると、図１０のフローチャートに従って倍率の算出を行い、Ａ３サイズの原稿２の画像をＡ３サイズの孔版原紙４に形成する１００％の倍率が設定される。
【００７８】
また、ＣＰＵユニット１１は、印面サイズ比較手段１４により、先の製版・印刷に使用したドラムユニット２（赤）の印面サイズと、新たに実装したドラムユニット２（黒）の印面サイズを比較し、両者の印面サイズに違いがある場合には（第３例ではもちろんＢ４とＡ３の違いがある。）、図１６に示すように、パネルユニット１２の表示部であるタッチパネル２４に印面サイズの違いにより変倍率に変更が発生した旨を表示してユーザーに注意を促し、変更された変倍率のままで原稿２を製版・印刷して印刷用紙７に合成出力したイラストに位置ズレが生じる不都合が発生するのを防止する。
【００７９】
すなわち図１６は、第３例でドラムユニット２（黒）に交換して原稿２を原稿読取部３にセットした時点で、変倍率が７１％から１００％に変更された時のパネルユニット１２のメッセージ表示を示したものであり、この状態では変倍率は１００％であるが、「取消」キーを押せば変倍率を前の設定（第３例では７１％）に戻すことができる。
【００８０】
第３例では、ドラムユニット２（赤）で印刷された原稿１の「太陽」の赤い画像はＡ３の印刷用紙７上で原稿に対して７１％の縮小率で印刷されており、次にドラムユニット２（黒）を装着して変倍率が自動的に１００％に変更された状態で「取消」キーを押すことなく同じ印刷用紙７上に印刷を行うと、原稿２の「山」の黒い画像は同印刷用紙７上で１００％の倍率で印刷される。結果として、図１５の「実際の出力物」に示すように、「太陽」の赤い画像は縮小され、「山」の黒い画像は原画通りであり、両者の倍率が異なることから「山」の画像が原画における比率と異なって「太陽」に比べ相対的に大きくなり、全体としては原画と異なる印刷結果となる。
【００８１】
ここで、ドラムユニット２（黒）を装着して変倍率が自動的に１００％に変更された時、前述したように変倍率が７１％から１００％に変更された旨のパネルユニット１２のメッセージ表示を見たユーザーが「取消」キーを押せば、変倍率は前の設定である７１％に戻り、その後ドラムユニット２（黒）による印刷を同印刷用紙７に行えば、同一のＡ３の印刷用紙７に行われた赤い「太陽」の画像も黒い「山」の画像も両方とも７１％の縮小率に統一されるので、図１５の「求める出力物」のように原稿１、２を適正に合成した結果が得られることとなる。
【００８２】
(4) 第４実施形態（図１７）
第４実施形態（以下、第４例とも呼ぶ）は、第３例と同一の構成の孔版印刷装置１において印刷色と印面サイズの異なるドラムユニット２を入れ換えて使用し、第３例と同様に一枚の印刷用紙７に２色で画像を形成するものであるが、ドラムユニット２の交換時における倍率の設定と、パネルユニット１２における表示が異なる。
【００８３】
装置本体にドラムユニット２（赤）を実装した状態で原稿１の製版・印刷を実行した後、新たにドラムユニット２（黒）を実装して原稿２を原稿読取部３にセットする。ＣＰＵユニット１１は、印面サイズ比較手段１４により、ドラムユニット２（赤）の印面サイズと新たに実装したドラムユニット２（黒）の印面サイズを比較した結果、両者の印面サイズに違いがあれば（第４例では第３例と同様、もちろんＢ４とＡ３の違いがある。）、新たな倍率の設定を直ちには行わずに、図１７に示すように、パネルユニット１２の表示部であるタッチパネル２４に印面サイズの違いにより変倍率が変更する旨を表示すると共に、新たに算出したドラムユニット２（黒）の変倍率を設定するか、またはそれまで実装されていたドラムユニット２（赤）の変倍率を継続するかの選択をユーザーに行わせる。
【００８４】
すなわち、図１７に示すように、第４例では、ドラムユニット２（黒）に交換して原稿２を原稿読取部３にセットした時点で、新たに算出された変倍率（１００％）を設定するか、またはそれまで実装されていたドラムユニット２（赤）の変倍率（７１％）を継続するかの選択をパネルユニット１２でメッセージ表示することができる。
【００８５】
原稿１、２の合成出力を目的としたユーザーにとっては、変更した変倍率で原稿２の製版・印刷を実行すると印刷用紙７に合成出力したイラストに位置ズレが生じて不都合であるが、第４例によれば、パネルユニット１２の表示を見て、それまで実装されていたドラムユニット２（赤）の変倍率を継続する選択をパネルユニット１２から行うことにより、かかる不都合を回避することができる。
【００８６】
また、原稿１、２の合成出力を目的としないユーザーにとっては、新たに算出された変倍率を採用せずに前の原稿の変倍率を継続して原稿２の製版・印刷を実行すると、原稿２の原稿画像が不適切な倍率で印刷用紙７に出力され（第４例では本来１００％の倍率で印刷できるものを７１％に縮小してしまう）、印刷用紙７に大きな余白領域が発生する等の不都合が生じてしまうが、第４例によれば、パネルユニット１２の表示を見て、パネルユニット１２の操作により、新たに算出された変倍率を選択することでかかる不都合を回避することができる。
【図面の簡単な説明】
【００８７】
【図１】図１は第１実施形態の孔版印刷装置１の内部概略構造を模式的に透視して示す側面図である。
【図２】図２は第１実施形態の孔版印刷装置１の制御構成を示すブロック図である。
【図３】図３は第１実施形態の孔版印刷装置１のパネルユニット１２を示す平面図である。
【図４】図４は第１実施形態の孔版印刷装置１のドラムユニット２の斜視図である。
【図５】図５は第１実施形態の孔版印刷装置１のパネルユニット１２における表示内容を示した平面図である。
【図６】図６は第１実施形態の孔版印刷装置１における原稿読取部３の平面図である。
【図７】図７は第１実施形態の孔版印刷装置１における孔版原紙ホルダ６及びこれに装着された孔版原紙４を示す斜視図である。
【図８】図８は第１実施形態の孔版印刷装置１における給紙部８の平面図である。
【図９】図９は第１実施形態の制御プロセスを示すフローチャートである。
【図１０】図１０は図９のＳ１６における変倍率の算出処理プロセスを示すフローチャートである。
【図１１】図１１は第１実施形態の孔版印刷装置１におけるパネルユニット１２の表示部の表示例を示したものである。
【図１２】図１２は第２実施形態の制御プロセスを示すフローチャートである。
【図１３】図１３は図１２のＳ３８における変倍率の算出処理プロセスを示すフローチャートである。
【図１４】図１４は第２実施形態の孔版印刷装置１におけるパネルユニット１２の表示部の表示例を示したものである。
【図１５】図１５は第３実施形態における変倍率の算出手順と出力物を示す模式図である。
【図１６】図１６は第３実施形態の孔版印刷装置１におけるパネルユニット１２の表示部の表示例を示したものである。
【図１７】図１７は第４実施形態の孔版印刷装置１におけるパネルユニット１２の表示部の表示例を示したものである。
【符号の説明】
【００８８】
１…孔版印刷装置
２…ドラムユニット
３…原稿読取部
４…孔版原紙
５…製版部
６…孔版原紙ホルダ
７…印刷用紙
８…給紙部
９…印刷部
１０…排紙部
１２…パネルユニット
１４…印面サイズ比較手段
２０…操作入力手段
２１…メッセージ表示手段
２２…変倍率表示手段
２３…連写面数設定手段
２４…タッチパネル
２６…印面サイズ設定手段
２８…実装検出手段
２９…原稿サイズ検出手段
３０…製版幅検出手段
３２…印刷用紙幅検出手段
３３…印刷用紙長さ検出手段
【図１】
2008126445.tif 000003
【図２】
2008126445.tif 000004
【図３】
2008126445.tif 000005
【図４】
2008126445.tif 000006
【図５】
2008126445.tif 000007
【図６】
2008126445.tif 000008
【図７】
2008126445.tif 000009
【図８】
2008126445.tif 000010
【図９】
2008126445.tif 000011
【図１０】
2008126445.tif 000012
【図１１】
2008126445.tif 000013
【図１２】
2008126445.tif 000014
【図１３】
2008126445.tif 000015
【図１４】
2008126445.tif 000016
【図１５】
2008126445.tif 000017
【図１６】
2008126445.tif 000018
【図１７】
2008126445.tif 000019